(57)【要約】【課題】種々の大きさや形状のカップ製品等の食品収納容器を安定的に保持することができる食品収納容器の搬送用ホルダーを提供すること。【解決手段】本発明に係る食品収納容器の搬送用ホルダー１は、２個以上の収納部２を連設した構成から成り、上記収納部２は底部２ｂと該底部２ｂの周縁から起立した周壁２ａとを備えたものであり、上記収納部２の周壁２ａには、内方に突出する少なくとも一本の可撓性を有する突条３が、上下方向に向けて、且つ、下方ほど内方に傾斜して形成されていることを特徴とする。【選択図】  図１
0003166466.tif 000002
【実用新案登録請求の範囲】
【請求項１】
２個以上の収納部を連設した構成から成り、上記収納部は底部と該底部の周縁から起立した周壁とを備えたものであり、上記収納部の周壁には、内方に突出する少なくとも一本の可撓性を有する突条が、上下方向に向けて、且つ、下方ほど内方に傾斜して形成されていることを特徴とする、食品収納容器の搬送用ホルダー。
【請求項２】
上記突条が、上記収納部の周壁を内方に湾曲して形成されていることを特徴とする、請求項１に記載の食品収納容器の搬送用ホルダー。
【請求項３】
上記突条が、３本以上、上記周壁に形成されていることを特徴とする、請求項１又は２に記載の食品収納容器の搬送用ホルダー。
【請求項４】
上記突条が、４×Ｎ本（Ｎは整数）、等間隔を開けて上記周壁に形成されていることを特徴とする、請求項１〜３のいずれかに記載の食品収納容器の搬送用ホルダー。
【請求項５】
上記収納部が、上方に向かって拡径した有底の略円錐台形状であることを特徴とする、請求項１〜４のいずれに記載の食品収納容器の搬送用ホルダー。
【請求項６】
上記２個以上の収納部が、その上端に形成されたフランジを介して連設されていることを特徴とする、請求項１〜５のいずれに記載の食品収納容器の搬送用ホルダー。
【請求項７】
上記搬送用ホルダーが、可撓性を有する樹脂材料により一体的に成形されていることを特徴とする、請求項１〜６のいずれに記載の食品収納容器の搬送用ホルダー。
【考案の詳細な説明】
【技術分野】
【０００１】
本考案は、ケーキ、プリン、フルーツ等を収納したカップ製品等の食品収納容器の搬送用ホルダーに関するもので、特に種々の大きさや形状の食品収納容器を安定的に搬送し得る食品収納容器の搬送用ホルダーに関するものである。
【背景技術】
【０００２】
コンビニエンスストアーやスーパーマーケット等においては、ケーキ、プリン、フルーツ等をカップに入れて盛り合わせ、カップ製品として販売されている。これらのカップ製品は、デザートベンダー等が生産しており、近年、トッピングが複雑化されることにより、その商品価値が向上している。また、使用されるカップとしては、複雑な形状の容器、特に、ワイングラスやカクテルグラスのような種々の形状の容器が使用されるようになってきており、搬送時の揺れや衝撃に対して倒れやすく不安定な容器が使用されることも多くなっている。
【０００３】
このようなカップ製品を、各コンビニエンスストアー等に搬送する際、その途中において転倒させると、複雑なトッピング等が壊れてしまい、商品価値が失われてしまう。
そこで、従来においては、図８に示したような紙製の食品収納容器の搬送用ホルダー１００を使用し、該搬送用ホルダー１００にカップ製品５０を収納して搬送時のカップ製品の安定性を向上させ、転倒させることなく車等で各コンビニエンスストアーにカップ製品を搬送することがなされている。
【考案の概要】
【考案が解決しようとする課題】
【０００４】
しかしながら、上記した紙製の食品収納容器の搬送用ホルダー１００にあっては、種々の大きさや形状のカップ製品を安定的に支持できるものではなかった。特に、ワイングラスやカクテルグラスのような形状では、細い脚部分であるステム部を有するために、安定して支持することが困難であった。また、使用に際しては、組み立てが必要であり、また組み立てた後においては、重ね合わせた状態で積み重ねること（スタッキング）ができず、大きなストックスペースを必要とするものであった。
【０００５】
本考案は、上述した背景技術が有する課題に鑑みなされたものであって、その目的は、種々の大きさや形状のカップ製品等の食品収納容器を安定的に保持することができる食品収納容器の搬送用ホルダーを提供することにあり、また、本考案の他の目的は、組み立ての必要がなく、ストックスペースが少なくてすむ食品収納容器の搬送用ホルダーを提供することにある。
【課題を解決するための手段】
【０００６】
上記した目的を達成するため、請求項１の食品収納容器の搬送用ホルダーは、２個以上の収納部を連設した構成から成り、上記収納部は底部と該底部の周縁から起立した周壁とを備えたものであり、上記収納部の周壁には、内方に突出する少なくとも一本の可撓性を有する突条が、上下方向に向けて、且つ、下方ほど内方に傾斜して形成されていることを特徴とする。
なお、本明細書において食品収納容器とは、主に、ケーキ、プリン、フルーツ等の食品を入れて使用される、カップ、ワイングラス、カクテルグラスなどの形状の容器のことをいう（以下、食品を収納した容器をカップ製品ということがある）。
また、本考案に係る搬送用ホルダーは、上記食品収納容器を搬送するのに使用するものであり、特に、食品の収納部分であるカップ部（またはボウル部）と、細い脚部分であるステム部と、全体を支える底部分であるプレート部とを備えた、ワイングラスやカクテルグラスのような不安定な形状の容器を搬送するのに好適である。
【０００７】
また、請求項２の食品収納容器の搬送用ホルダーは、上記請求項１の考案において、上記突条が、上記収納部の周壁を内方に湾曲して形成されていることを特徴とする。
【０００８】
また、請求項３の食品収納容器の搬送用ホルダーは、上記請求項１又は２の考案において、上記突条が、３本以上、上記収納部の周壁に形成されていることを特徴とする。
【０００９】
さらに、請求項４の食品収納容器の搬送用ホルダーは、上記請求項３の考案において、上記突条が、４×Ｎ本（Ｎは整数）、等間隔を開けて上記収納部の周壁に形成されていることを特徴とする。
【００１０】
また、請求項５の食品収納容器の搬送用ホルダーは、上記請求項１〜４のいずれかの考案において、上記収納部が、上方に向かって拡径した有底の略円錐台形状であることを特徴とする。
【００１１】
また、請求項６の食品収納容器の搬送用ホルダーは、上記請求項１〜５のいずれかの考案において、上記２個以上の収納部が、その上端に形成されたフランジを介して連設されていることを特徴とする。
【００１２】
また、請求項７の食品収納容器の搬送用ホルダーは、上記請求項１〜６のいずれかの考案において、上記搬送用ホルダーが、可撓性を有する樹脂材料により一体的に成形されていることを特徴とする。
【考案の効果】
【００１３】
上記した請求項１の食品収納容器の搬送用ホルダーによれば、底部と該底部の周縁から起立した周壁とを備えた収納部を２個以上連設した構成から成るため、２個以上のカップ製品等の食品収納容器をまとめた状態で、安定して搬送することができる。また、２個以上の収納部が連設されていることにより、連設した収納部に収納された食品収納容器が互いに他方を安定させる効果を奏する。
また、該収納部の周壁には、内方に突出する少なくとも一本の可撓性を有する突条が、上下方向に向けて、且つ、下方ほど内方に傾斜して形成されているため、収納された食品収納容器を該突条で挟持し、食品収納容器を安定的に保持することができる。
また、突条は可撓性を有するため、食品収納容器の底に合わせて、上記突条が外方に屈曲して、食品収納容器を挟持することから、種々の大きさや形状の食品収納容器に合わせて、該食品収納容器を安定的に保持することができる。
【００１４】
また、上記した請求項２の食品収納容器の搬送用ホルダーによれば、上記突条が、上記収納部の周壁を内方に湾曲させることにより形成されているため、突条の変形の際に、周囲の収納部側壁も変形して、より安定的に食品収納容器を保持することが可能となる。特に、全体を支える板状の底部分であるプレート部を有する、ワイングラスやカクテルグラスのような容器においては、突条の変形の際に、上記プレート部の厚みに合わせて、突条や周囲の収納部側壁も変形して、プレート部にフィットし、効果的に挟持することができることから、より安定的に搬送することが可能となる。
【００１５】
また、上記した請求項３の食品収納容器の搬送用ホルダーによれば、上記突条が、３本以上、上記収納部の周壁に形成されているため、より安定的に食品収納容器を保持することができると共に、種々の大きさや形状の食品収納容器に合わせて保持することができるものとなる。
【００１６】
さらに、上記した請求項４の食品収納容器の搬送用ホルダーによれば、上記突条が、４×Ｎ本（Ｎは整数）、等間隔を開けて上記収納部の周壁に形成されているため、２個の該搬送用ホルダーを、９０度ずらして収納部において重ね合わせて、転倒し難いＬ字状或いは十字状の搬送用ホルダーとすることができ、より安定的に収納した食品収納容器を搬送できるものとなる。
また、上記した請求項５の食品収納容器の搬送用ホルダーによれば、上記収納部が、上方に向かって拡径した有底の略円錐台形状であるため、カップ製品等の食品収納容器を収納し易くなる。
【００１７】
また、上記した請求項６の食品収納容器の搬送用ホルダーによれば、上記２個以上の収納部が、その上端に形成されたフランジを介して連設された構成であるため、該搬送用ホルダーを重ね合わせた状態で積み重ねること（スタッキング）ができ、ストックスペースを少なくすることができる。
【００１８】
また、上記した請求項７の食品収納容器の搬送用ホルダーによれば、可撓性を有する樹脂材料により一体的に成形されているため、組み立てが不要であると共に、製造が容易であり、コストの低減を図ることができる。また、可撓性を有する樹脂材料により成形されているため、繰り返し使用することが可能となる。
【図面の簡単な説明】
【００１９】
【図１】本考案に係る食品収納容器の搬送用ホルダーの一実施の形態を示した斜視図である。
【図２】図１に示した搬送用ホルダーの図であって、（ａ）は平面図、（ｂ）は（ａ）のＡ−Ａ線に沿う部分の断面図、（ｃ）は（ａ）のＢ−Ｂ線に沿う部分の断面図である。
【図３】本考案に係る食品収納容器の搬送用ホルダーの他の実施の形態を示した図であって、（ａ）は平面図、（ｂ）は（ａ）のＣ−Ｃ線に沿う部分の断面図、（ｃ）は（ａ）のＤ−Ｄ線に沿う部分の断面図である。
【図４】図３に示した搬送用ホルダー２個を、Ｌ字状に重ね合わせた状態を示した平面図である。
【図５】図３に示した搬送用ホルダーの図であって、（ａ）はカップ製品の収納前の状態を示した縦断面図、（ｂ）はカップ製品を収納した後の状態を示した縦断面図である。
【図６】図３に示した搬送用ホルダーにカップ製品を収納した状態を示した斜視図である。
【図７】カップ製品を収納した本考案に係る食品収納容器の搬送用ホルダーを他の製品と共に搬送ケースに入れた状態を示した平面図である。
【図８】従来の食品収納容器の搬送用ホルダーを示した斜視図である。
【考案を実施するための形態】
【００２０】
以下、上記した本考案に係る食品収納容器の搬送用ホルダーを、図面に示した実施の形態に基づいて詳細に説明する。
【００２１】
図１及び図２は、本考案に係る食品収納容器の搬送用ホルダーの一実施の形態を示しており、該搬送用ホルダー１は、２個の収納部２，２を連設した構成から成り、該収納部２は、底部２ｂと、該底部２ｂの周縁から起立した周壁２ａとを備えている。上記収納部２，２のそれぞれの周壁２ａ，２ａは、上方から下方に向けて内方に傾斜しており、また、該周壁２ａには、内方に突出する可撓性を有する突条３が、上下方向に向けて、且つ、下方ほど内方に傾斜して形成されている。
【００２２】
上記収納部２は、上方に向かって拡径した有底の略円錐台形状に形成され、底部２ｂの中心には、補強と収納したカップ製品等の位置決め等を兼ねて、内方に突出する円形凸部４が形成されている。
なお、収納部２の形状に特に制限はないが、カップ製品等の食品収納容器の底部が略円形であることが多いことから、上記のように、底部２ｂが略円形であり、上方に向かって拡径した有底の略円錐台形状であることが好ましい。
【００２３】
また周壁２ａに形成されている上記突条３は、周壁２ａを内方に湾曲させることにより形成されており、この実施の形態においては、例えば、図２（ａ）に示したように、平面視した場合に周壁２ａが６枚の花弁を有する花びら型に湾曲され、それによって、等間隔を開けた６本の突条３が周壁２ａに形成されている。
なお、特に図示はしないが、他の実施の形態としては、該周壁を横断面波形状となるようにして、該突条を形成させることもできる。なお、横断面波形状とは、横断面が内方と外方に交互に折れ曲った形状も含むものである。
【００２４】
また、収納部２の上端には、フランジ５が形成されており、該フランジ５を介して、２個の収納部２，２が接続されている。この２個の収納部２，２の接続部にあたるフランジ５の板面には、下方に突出する台形凹部６が形成され、この部分の補強が図られている。また、該台形凹部６の外方に位置するフランジ５の縁部には、弧状の切り欠きが形成され、指による摘み部７とされている。更に、フランジ５の周縁は、一旦下方に折り曲げられ、さらに水平方向外方へ張り出す縁部８が形成され、該搬送用ホルダー１の全体の補強が図られている。
【００２５】
図３は、本考案に係る食品収納容器の搬送用ホルダーの他の実施の形態を示したものである。この搬送用ホルダー１１は、上記図１及び図２に示した食品収納容器の搬送用ホルダー１に対し、収納部に形成された突条の数、及びフランジにおける台形凹部の有無が大きく相違する。
【００２６】
即ち、図３に示した搬送用ホルダー１１は、やはり上方に向かって拡径した有底の略円錐台形状に形成された２個の収納部１２，１２を、その上端に形成されたフランジ１３を介して連設した構成から成り、収納部１２は、底部１２ｂと、該底部１２ｂの周縁から起立した周壁１２ａとを備えている。該収納部１２，１２のそれぞれの周壁１２ａ，１２ａには、内方に突出する可撓性を有する突条１４が、上下方向に向けて、且つ、下方ほど内方に傾斜した状態で形成され、底部１２ｂの中心には、補強と収納したカップ製品等の位置決め等を兼ねて、内方に突出する円形凸部１５が形成されている。
【００２７】
上記突条１４は、やはり周壁１２ａを内方に湾曲させることにより形成したものであるが、この実施の形態においては、図３（ａ）に示したように、平面視した場合に周壁１２ａが８枚の花弁を有する花びら型に湾曲され、それによって、等間隔を開けた８本の突条１４が周壁１２ａに形成されている。
【００２８】
また、２個の収納部１２，１２の接続部にあたるフランジ１３の縁部には、弧状の切り欠きが形成され、指による摘み部１６とされている。また、フランジ１３の周縁は、一旦下方に折り曲げられ、さらに水平方向外方へ張り出す縁部１７が形成され、やはり該搬送用ホルダー１１の全体の補強が図られている。但し、この図３に示した搬送用ホルダー１１にあっては、上記図１及び図２に示した搬送用ホルダー１においては形成されていた、フランジ５における台形凹部６は形成されていない。
【００２９】
上記図３に示した搬送用ホルダー１１の場合、８本の突条１４が等間隔に形成されており、収納部１２の形状が、該収納部１２を軸心回りに９０度回転させた状態で回転前と同一であるため、図４に示したように、２個の該搬送用ホルダー１１，１１を、９０度ずらして収納部１２，１２において重ね合わせて、さらに転倒し難いＬ字状の搬送用ホルダー２０とすることができる。例えば、３個のカップ製品を搬送する場合には、２個の搬送用ホルダーを別々に搬送するよりも、より安定して搬送することが可能となる。また、該Ｌ字状に重ね合わせた搬送用ホルダー２０を、図７に示したように、搬送ケース７０のコーナー部に安定した状態で配置することができ、さらに安定してカップ製品等の食品収納容器を搬送できるものとなる。
なお、３個の収納部を連設した搬送用ホルダーにあっては、中央の収納部同士を９０度ずらして重ね合わせることにより、十字状の搬送用ホルダーとすることもできる。また、収納部の形状としては、上記した８本の突条を等間隔で形成したものの他、４本或いは１２本等、４×Ｎ本（Ｎは整数）の突条を等間隔で形成したものであれば、複数の搬送用ホルダーを組み合せることが可能となり、上記転倒し難いＬ字状或いは十字状の等の搬送用ホルダーとして、より安定的に食品収納容器を搬送できるものとなる。但し、このように使用するためには、上記収納部の開口部分の形状においても、円形や四角形、八角形、４×Ｎ角形（Ｎは整数）など、９０度回転させた状態で、回転前と同一となることが必要である。
【００３０】
上記した構成の食品収納容器の搬送用ホルダー１或いは１１は、可撓性を有する樹脂材料により一体的に成形されていることが好ましい。可撓性を有する樹脂材料としては、例えば、ポリスチレン系樹脂、ポリプロピレン系樹脂、ポリエチレン系樹脂、ポリエステル系樹脂、ポリカーボネート系樹脂、ポリ乳酸系樹脂などの熱可塑性樹脂などの単独又はそれら二以上の混合樹脂が挙げられる。また、これらの樹脂にタルクや炭酸カルシウムなどの無機物、２種類以上の樹脂を混合して用いる際には相溶化剤、着色剤、その他の添加剤を目的に応じて添加してもよい。さらに、樹脂特性を調整するためのゴム特性を付与する素材を配合することも可能である。
【００３１】
特に上記の中でも、ポリスチレン系樹脂、ポリスチレン系樹脂組成物、ポリプロピレン系樹脂或いはポリプロピレン系樹脂組成物を基材樹脂とする熱可塑性樹脂シートを成形したものがコスト面、及び強度と軽量性とのバランスに優れる点で好ましい。その中でも、ポリプロピレン系樹脂或いはポリプロピレン系樹脂組成物を基材樹脂とする熱可塑性樹脂シートからなるものは、耐油性及び耐熱性が高いことから好ましく、また、ポリスチレン系樹脂或いはポリスチレン樹脂組成物を基材樹脂とする熱可塑性樹脂シートからなるものは、特に安価である上、熱成形性に優れ所望の形状どおりに成形し易いことから好ましい。また、緩衝性等の物性が要求される場合には、発泡の熱可塑性樹脂シートからなるものであってもよい。
【００３２】
また、繰り返し使用などの観点からは、ゴム変性スチレン系樹脂（耐衝撃性ポリスチレン）、高密度ポリエチレン、ポリプロピレンとポリエチレン及び／又はエラストマーとの混合物などからなる樹脂シート、二軸延伸ポリスチレン樹脂シートなどからなるものを挙げることができる。さらには、耐熱性が要求される場合にはタルクなどの無機フィラーを配合したポリプロピレン樹脂シートを使用することができる。
【００３３】
上記熱可塑性樹脂シートは、通常、厚み０．０５〜８．０ｍｍであるが、熱成形性及び可撓性の観点から、その厚みは０．１〜３．０ｍｍが好ましく、０．２〜２．０ｍｍがより好ましい。
なお、熱可塑性樹脂シートとしては、フィルムが積層された積層体であってもよい。
【００３４】
上記熱可塑性樹脂シートは、従来周知の方法にて製造され、該熱可塑性樹脂シートを従来周知の真空成形、圧空成形等の熱成形手段により一体的に成形することが好ましく、上記搬送用ホルダー１或いは１１を得ることができる。なお、波形状の樹脂シートにより側壁を形成し、底部と側壁との突き合わせ部分を接着または熱融着させる方法、これらを組み合わせた方法によっても成形することができる。
【００３５】
上記のように構成された本考案に係る食品収納容器の搬送用ホルダーは、次のように使用される。
本考案に係る搬送用ホルダーを使用できる食品収納容器は、該搬送用ホルダーの収納部の上端開口より小さい底部を有する食品収納容器であればよく、例えば、カップ、ワイングラス、カクテルグラスなどの形状の容器が例示される。特に、食品の収納部分であるカップ部、細い脚部分であるステム部、全体を支える底部分であるプレート部を備えた、ワイングラスやカクテルグラスのような形状の容器を用いたカップ製品は、本考案に係る搬送用ホルダーを好適に使用することができる。
【００３６】
図５は、図３に示した搬送用ホルダー１１の図であって、（ａ）は食品収納容器であるカップ製品の収納前の状態を示した縦断面図、（ｂ）はカップ製品を収納した後の状態を示した縦断面図である。なお、この図示したカップ製品５０は、食品の収納部分であるカップ部５１ａ、細い脚部分であるステム部５１ｂ、全体を支える底部分であるプレート部５１ｃを備えた、ワイングラスやカクテルグラスのような形状の容器を用いたものである。
図に示したように、本考案に係る搬送用ホルダー１１は、その全体が可撓性を有する樹脂材料により一体的に成形されているため、使用に際して組み立てが不要である。そして、該搬送用ホルダー１１の収納部１２に、カップ製品５０の底部分であるプレート部５１ｃを押し込むと、収納部１２に形成された可撓性を有する突条１４ａが、カップ製品５０のプレート部５１ｃの大きさ及び形状に倣って屈曲して変形し、該変形した突条１４ｂが、カップ製品５０のプレート部５１ｃを挟持するため、収納したカップ製品５０を安定的に収納部１２内に保持することができる。この際、可撓性を有する突条１４は、カップ製品５０のプレート部５１ｃの大きさ等に応じて柔軟に変形するため、種々の大きさや形状のカップ製品と適合することができるものとなる。
また、上記プレート部５１ｃを有する容器においては、一般に、プレート部の周縁形状が板状であることから、該プレート部を押し込んで突条や周囲の収納部側壁が外方に屈曲して変形する際に、プレート部の板状の厚み全体（側面）に合わせて、突条や周囲の収納部側壁がプレート部の側面全体に接触する形状となってプレート部を挟持し、より安定して搬送することが可能となる。
なお、該搬送用ホルダー１１の突条１４における内方への傾斜角度や、突条１４を形成する湾曲の度合、樹脂の種類、厚みなどを変更することにより、カップ製品５０等の食品収納容器を挟持する力を変えることも可能である。
【００３７】
図３に示した搬送用ホルダー１１は、２個の収納部１２，１２を連設した構成から成るため、図６に示したように、それぞれの収納部１２、１２に、カップ製品５０を上記したように安定的に収納することができる。続いて、カップ製品５０を収納した搬送用ホルダー１１を、該搬送用ホルダー１１に形成された摘み部１６等を利用して持ち上げ、図７に示したように、他の搬送する製品６０等と共に搬送ケース７０に入れ、この状態で、車等で各コンビニエンスストアーにカップ製品５０等を搬送することができる。
【００３８】
このようにして搬送されたカップ製品５０は、搬送用ホルダー１１の収納部１２内に安定的に保持されていたため、転倒することがなく、複雑なトッピング等が壊れることなく、各コンビニエンスストアーまで搬送される。搬送されたカップ製品５０は、本発明に係る搬送用ホルダー１１から取り出され、店頭に並べられ、本発明に係る搬送用ホルダー１１は、搬送ケース７０と共に回収され、再びカップ製品等の食品収納容器の搬送に用いられる。この本発明に係る搬送用ホルダー１１の回収及び保管に際しては、該搬送用ホルダー１１を重ね合わせた状態で積み重ねること（スタッキング）ができ、ストックスペースを少なくすることができる。
【００３９】
以上、本考案に係る食品収納容器の搬送用ホルダーの実施の形態を説明したが、本考案は、何ら既述の実施の形態に限定されるものではなく、実用新案登録請求の範囲に記載した本考案の技術的思想の範囲内において、種々の変形、変更を加えた食品収納容器の搬送用ホルダーとすることができることは当然である。
【符号の説明】
【００４０】
１    食品収納容器の搬送用ホルダー
２    収納部
２ａ    周壁
２ｂ    底部
３    突条
４    円形凸部
５    フランジ
６    台形凹部
７    摘み部
８    縁部
１１    食品収納容器の搬送用ホルダー
１２    収納部
１２ａ    周壁
１２ｂ    底部
１３    フランジ
１４    突条
１４ａ  突条（変形前）
１４ｂ  突条（変形後）
１５    円形凸部
１６    摘み部
１７    縁部
２０    Ｌ字状に重ね合わせた搬送用ホルダー
５０    カップ製品
５１ａ  カップ部    
５１ｂ  ステム部
５１ｃ  プレート部（カップ製品の底部分）
６０    他の製品
７０    搬送ケース
【図１】
0003166466.tif 000003
【図２】
0003166466.tif 000004
【図３】
0003166466.tif 000005
【図４】
0003166466.tif 000006
【図５】
0003166466.tif 000007
【図６】
0003166466.tif 000008
【図７】
0003166466.tif 000009
【図８】
0003166466.tif 000010